(57)【要約】      （修正有）【課題】コンパクトなフォームファクタで、比較的大きい供試品を受け入れ可能なＸ線装置を提供する。【解決手段】Ｘ線装置用の機器搭載台で、搭載要素が主遮蔽要素を遮蔽状態で貫通可能に配置された、主遮蔽要素、周縁遮蔽要素、および２次遮蔽要素を備える。Ｘ線装置用の支持装置は、支持部分を第１の位置と第２の位置との間で移動させるための分離可能な支承機構と、支持部分を第２の位置から第３の位置へ移動させ、それによって支承機構を分離させるための昇降機構とを備える。また、Ｘ線装置用の操作機構台が開示される。この台は、供試品台を支持するように配置された第１の支持構造であって、第２の支持構造および第３の支持構造によって、供試品台の両側にある第１の位置および第２の位置で支持される第１の支持構造を備え、第２の支持構造および第３の支持構造は、第１の支持構造を、両端で支持したままで昇降させることができるように構成されている。【選択図】図１
2018159712.tif 000002
【特許請求の範囲】
【請求項１】
Ｘ線装置用の支持装置であって、
基底部分と、
Ｘ線システムの構成要素を支持するための支持部分と、
前記基底部分に設けられた第１の支承要素および前記供試品支持部分に設けられた第２の支承要素を有する支承機構であり、前記第１の支承要素が前記第２の支承要素に接触した状態で、前記供試品支持部分を前記基底部分に対して第１の位置から第２の位置へ移動させることを可能にする、支承機構と、
前記基底部分に設けられた昇降装置であり、前記供試品支持部分を前記第２の位置から第３の位置へ移動させ、それによって前記第１の支承要素と前記第２の支承要素とを相対的に分離するように配置された、昇降装置と
を備える支持装置。
【請求項２】
前記支承機構が、摺動支承機構であり、前記第１の支承要素および前記第２の支承要素が、平行かつ相互に近接して配置された平坦な支承面である、請求項１に記載の支持装置。
【請求項３】
前記支承機構がローラ支承機構であって、前記第１の支承要素が、ローラと、前記ローラが転動するために対向して配置されている支承面とのうちの一方であり、前記第２の支承要素が、前記ローラと前記支承面とのうちの他方である、請求項１に記載の支持装置。
【請求項４】
振動低減要素が、前記供試品支持部分が前記第３の位置にあるとき前記支持部分と前記基底部分との間の振動の伝達を阻止するために設けられる、請求項１から３のいずれか一項に記載の支持装置。
【請求項５】
前記振動低減要素が、前記昇降装置と前記支持部分との間に設けられる、請求項４に記載の支持装置。
【請求項６】
前記振動低減要素が、前記昇降装置と前記基底部分との間に設けられる、請求項４に記載の支持装置。
【請求項７】
前記振動低減要素が、前記昇降装置として設けられる、請求項４に記載の支持装置。
【請求項８】
前記振動低減要素が空気ピストンを備える、請求項４から７のいずれか一項に記載の支持装置。
【請求項９】
前記供試品支持部分が前記第２の位置にない場合に、前記第１の支承要素と前記第２の支承要素との分離を防止するために、安全装置が、前記第１の支承要素に設けられる、請求項１から８のいずれか一項に記載の支持装置。
【請求項１０】
前記第１の位置が、前記第２の位置より封入筐体のアクセス開口に相対的に近い位置であり、前記第３の位置が、Ｘ線照射のための位置である、請求項１から９のいずれか一項に記載の支持装置。
【発明の詳細な説明】
【技術分野】
【０００１】
本開示は、Ｘ線装置に関し、さらに、そのようなＸ線装置に使用するための機器搭載台、支持構造、操作機構台に関する。
【背景技術】
【０００２】
Ｘ線撮像システム、特に、産業または科学用途に使用されるＸ線撮像システムは、通常、封入構成を使用し、その場合、Ｘ線源およびＸ線検知器が、調査を受ける供試品を導入し取り外すための、一般に窓と呼ばれる適切な開口を有するＸ線遮蔽封入筐体内に配置される。そのような構成は、作業者が、機械を具合よく操作し、比較的安全に撮像システムおよび供試品の位置に必要な調節を施すことを可能にする。
【０００３】
近年では、より高パワーのＸ線システムが、ますます重く嵩張る供試品の撮像を可能にしてきている。特に、調査を受ける供試品によって定義される軸周りの様々な角度で撮られた一連のＸ線映像から対象物の体積密度マップを再構成することができるＣＴ撮像が、たとえば欠陥の存在を判定し解析するために、エンジンブロックのように大きい構造の撮像に対して提案されてきている。
【０００４】
しかし、その種用途に関しては、調査を受ける供試品の大きさおよび重量の増加が、より大きい供試品を受け入れるだけではなく、望ましくない変形や損傷を防止するために、供試品の重量を支える様々な構成要素の寸法の増加を可能にするためにも、封入筐体を大幅に大きくする必要を生じさせる。
【０００５】
そのような重くまたは嵩張る負荷に対処するために装置を大型化すると、その種の装置の占有面積を増加させ、費用も増加させる。
【発明の概要】
【発明が解決しようとする課題】
【０００６】
したがって、コンパクトなフォームファクタで、比較的大きい供試品を受け入れることができるＸ線装置に対する必要性がある。
【課題を解決するための手段】
【０００７】
本発明の第１の態様によれば、Ｘ線装置用の機器搭載台であって、主遮蔽要素であり、該主遮蔽要素の一方の側から該主遮蔽要素の他方の側へ該主遮蔽要素を貫通する少なくとも１つの開口を有する、主遮蔽要素と、主遮蔽要素の開口を通って延在するように配置された搭載要素であり、開口の一方の側に機器支持面を有し、開口の他方の側に基底面を有する、搭載要素と、搭載要素の少なくとも一部分を少なくとも部分的に取り巻くように、主遮蔽要素の、開口を取り巻く領域から延在する周縁遮蔽要素と、搭載要素の基底面および機器支持面の１つに配置され、周縁遮蔽要素の少なくとも一部分の外周を少なくとも部分的に取り巻くように、主遮蔽要素の方へ延出する２次遮蔽要素とを備える機器搭載台が提供される。
【０００８】
一構成では、開口が、該開口に垂直な軸を定義し、その軸に関して、少なくとも１つの方向から、４５度を超える角度で入射するＸ線放射が、板遮蔽要素、２次遮蔽要素、および周縁遮蔽要素の少なくとも１つに入射するように、主遮蔽要素、周縁遮蔽要素、および２次遮蔽要素が、共に構成、配置され、上記角度が、好ましくは３０度、より好ましくは１５度、最も好ましくは５度であり、好ましくは少なくとも１つの方向の４５度以内、より好ましくは少なくとも１つの方向の１８０度以内、最も好ましくは少なくとも１つの方向の３６０度以内のすべての方向からである。
【０００９】
一構成では、主遮蔽要素は板である。
【００１０】
一構成では、周縁遮蔽要素が、実質的に扇形中空円筒または扇形中空円錐、好ましくは、実質的に完全な中空円筒または完全な円錐である。
【００１１】
一構成では、２次遮蔽要素が、２次遮蔽板と、２次遮蔽板から主遮蔽要素の方へ延出する周縁２次遮蔽壁とを備える。
【００１２】
一構成では、周縁２次遮蔽壁が、実質的に扇形中空円筒または扇形中空円錐、好ましくは、実質的に完全な中空円筒または完全な円錐である。
【００１３】
一構成では、搭載要素が、機器支持面と基底面との間に延在するロッド部分を備える。
【００１４】
一構成では、主遮蔽要素、周縁遮蔽要素、および２次遮蔽要素が、開口の一方の側または開口の他方の側のうちの一方に設けられ、さらに別の主遮蔽要素、さらに別の周縁遮蔽要素、およびさらに別の２次遮蔽要素が、開口の一方の側または開口の他方の側のうちの他方に設けられる。
【００１５】
一構成では、さらに別の主遮蔽要素、さらに別の周縁遮蔽要素、およびさらに別の２次遮蔽要素が、それぞれ、主遮蔽要素、周縁遮蔽要素、２次遮蔽要素と同様に構成される。
【００１６】
一構成では、２次遮蔽要素が開口を有し、搭載要素が、２次遮蔽要素の開口を通って延在する。
【００１７】
一構成では、２次遮蔽要素が開口を有し、搭載要素の機器支持面が、２次遮蔽要素の開口の主遮蔽要素側に配置される。
【００１８】
本発明の第２の態様によれば、Ｘ線装置用の支持装置であって、封入筐体が、基底部分と、Ｘ線装置の構成要素を支持するための支持部分と、基底部分に設けられた第１の支承要素および支持部分に設けられた第２の支承要素を有する支承機構であり、第１の支承要素が第２の支承要素に接触した状態で、支持部分を基底部分に対して第１の位置から第２の位置へ移動させることを可能にする、支承機構と、基底部分に設けられた昇降装置であり、支持部分を第２の位置から第３の位置へ移動させ、それによって第１の支承要素と第２の支承要素とを相対的に分離するように配置された、昇降装置とを備える、支持装置が提供される。
【００１９】
一構成では、支承機構が、摺動支承機構であり、第１の支承要素および第２の支承要素が、平行かつ相互に近接して配置された平坦な支承面である。
【００２０】
一構成では、支承機構がローラ支承機構であって、第１の支承要素が、ローラと、ローラが転動するために対向して配置されている支承面とのうちの一方であり、第２の支承要素が、ローラと支承面とのうちの他方である。
【００２１】
一構成では、振動低減要素が、供試品支持部分が第３の位置にあるとき供試品支持部分と基底部分との間の振動の伝達を阻止するために設けられる。
【００２２】
一構成では、振動低減要素が、昇降装置と支持部分との間に設けられる。
【００２３】
一構成では、振動低減要素が、昇降装置と基底部分との間に設けられる。
【００２４】
一実施形態では、振動低減要素が、昇降装置として設けられる。
【００２５】
一構成では、振動低減要素が空気ピストンを備える。
【００２６】
一構成では、供試品支持部分が第２の位置にないとき、第１の支承要素と第２の支承要素との分離を防止するために、安全装置が、第１の支承要素に設けられる。
【００２７】
一構成では、第１の位置が、第２の位置より封入筐体のアクセス開口に相対的に近い位置であり、第３の位置が、Ｘ線照射のための位置である。
【００２８】
本発明の第３の態様によれば、Ｘ線装置用の操作機構台であって、Ｘ線照射を受ける供試品を保持する供試品台と、第１の支持構造であり、該第１の支持構造上の第１の位置で供試品を支持するように配置されている、第１の支持構造と、第１の位置から水平方向に変位した、供試品支持構造上の第２の位置で、第１の支持構造を支持するように配置された第２の支持構造であり、第１の支持構造を、第２の支持構造によって支持したままで垂直方向に移動させることができるように構成されている、第２の支持構造と、第１の位置から水平方向に変位した、供試品支持構造上の第３の位置で、第１の支持構造を支持するように配置された第３の支持構造であり、第１の位置が、水平方向で第２の位置と第３の位置との間に来るようになっている、第３の支持構造とを備え、第３の支持構造が、第１の支持構造を垂直方向に移動させるための駆動機構を備える、操作機構台が提供される。
【００２９】
一構成では、操作機構台が、第２の支持構造および第３の支持構造が設けられている基準部材であって、第１の支持構造が駆動機構によって該基準部材に対して移動させられ得る、基準部材をさらに備える。
【００３０】
一構成では、供試品台が、供試品の位置を第１の支持構造に対して調節するための回転台を備える。
【００３１】
一構成では、駆動機構が、移動要素および回転要素を備えるねじ駆動機構であり、第１の支持構造が、ねじ駆動機構の移動要素に連結されている。
【００３２】
一構成では、駆動機構がベルト駆動機構であり、第１の支持構造が、ベルト駆動機構のベルトに連結されている。
【００３３】
一構成では、第２の位置および第３の位置が、第１の支持構造の各端部それぞれにある。
【００３４】
一構成では、第１の位置が、第２の位置と第３の位置との中央に位置する。
【００３５】
一構成では、第２の支持構造が、第１の支持構造の第３の位置を支持するように配置された従動体を保持するように構成された軌道を備える。
【００３６】
一構成では、軌道が直線溝を備え、従動体が、溝内に保持される摺動子を備え、あるいは、軌道がバーを備え、従動体が、バーの周りに保持される搬送機構を備える。
【００３７】
一構成では、第１の支持構造が水平な梁である。
【００３８】
本発明の第４の態様によれば、Ｘ線源、操作機構台、およびＸ線検出器を有するＸ線装置であって、操作機構台を支持するように配置された、第１の態様による機器搭載台を備える、Ｘ線装置が提供される。
【００３９】
本発明の第４の態様によれば、Ｘ線源、操作機構台、およびＸ線検出器を有するＸ線装置であって、Ｘ線源、操作機構台、およびＸ線検出器のうちの１つを支持するように配置された、第２の態様による支持装置を有するＸ線装置が提供される。
【００４０】
本発明の第５の態様によれば、Ｘ線源、操作機構台、およびＸ線検出器を有するＸ線装置であって、操作機構台が、第３の態様による操作機構台である、Ｘ線装置が提供される。
【００４１】
本発明のより良い理解のために、また、本発明をどのように実施するかを示すために、単なる例として、添付図面を参照する。
【図面の簡単な説明】
【００４２】
【図１】本発明の実施形態によるＸ線装置の断面図である。
【図２】搭載要素およびそれに伴う遮蔽要素を示す、図１の拡大詳細図である。
【図３】Ｘ線の封入筐体の諸態様を示す、図１の詳細図である。
【図４】本発明の実施形態である操作機構台を示す、図１の詳細図である。
【発明を実施するための形態】
【００４３】
図１は、本発明の第１の実施形態によるＸ線装置の横断面図である。
【００４４】
図１では、Ｘ線源およびＸ線検出器は見えない。ただし、図１の構成では、見ている人の目の位置にＸ線源を想定することができ、見ている人の視線方向の、供試品台２２０を間に挟んで、紙面の向こうにＸ線検出器を想定することができる。したがって、供試品台２２０上に配置された供試品は、Ｘ線源とＸ線検出器との間に置かれ、Ｘ線撮像を供試品に実施することができる。検出器が撮像アレイであれば、供試品の映像を得ることができ、供試品を供試品台２２０上で回転させ、映像を様々な角度方向で撮れば、ＣＴ撮像技法を使用して対象物の体積密度マップを再構成することができ、内部構造の調査が可能になる。
【００４５】
以下の開示では、Ｚ方向が、紙面の中への光線経路に沿った軸になるように取られ、Ｙ方向、または重力方向が、紙面内で垂直な、Ｚ方向に直交する軸になるように取られ、Ｘ方向が、紙面を水平に横切り、Ｚ方向およびＹ方向に直交する軸になるように取られる。
【００４６】
図１の構成は、比較的重い供試品を、比較的コンパクトな構成で解析することを可能にすることができる。
【００４７】
そのような比較的コンパクトな構成を可能にする、図１の実施形態の第１の態様は、供試品台、Ｘ線検出器、およびＸ線源を封入する遮蔽封入筐体１００を貫通する機器搭載要素３２０を設けて、遮蔽封入筐体１００の大きさを増加させることを必要とせずに、また、封入筐体の外部へのＸ線放射の望ましくない漏出を起こさせることもなく、比較的頑丈な支持枠３１０によって供試品を支持することを可能にすることである。
【００４８】
Ｘ線装置のコンパクトな大きさに寄与することができる遮蔽封入筐体１００の構成が、図２に詳細に示されている。図２において、遮蔽封入筐体には、主遮蔽要素１１０が設けられ、その主遮蔽要素は、この場合、封入筐体の基底板の形を取る。開口１１１が、主遮蔽要素を内側から外側へ貫通して、搭載要素３２０がその開口を貫通することを可能にする。
【００４９】
搭載要素３２０は、ロッドとして形成され、内側端部に機器支持面１２１と、外側端部に基底面１２２とを有する。搭載要素３２０は、機器支持面１２１に載置されまたは取り付けられたあらゆる要素の重量を担持し、その重量を封入筐体の外側に配置された耐振台３３０へ伝達する。耐振台３３０を封入筐体の外側に配置することによって、封入筐体が、図１にやはり見られる耐振台支持枠３１０と共に耐振台３３０を含めて、装置全体を封入するように求められる場合よりも、封入筐体をよりコンパクトにすることが可能になる。
【００５０】
一方、主遮蔽要素１１０などの遮蔽封入筐体の壁に開口１１１を設けると、通常、封入筐体の外部への望ましくないＸ線放射の漏出を許すことになる。したがって、本実施形態は、望ましくないＸ線放射の漏出を阻止する追加の遮蔽要素を採用する。
【００５１】
具体的には、周縁遮蔽要素が、開口を取り巻く主遮蔽要素の領域から延在して、搭載要素３２０の、主遮蔽要素１１０の下面を越えて突出する長さの少なくとも一部分を取り巻く。さらに、搭載要素３２０の基底面１２２には、２次遮蔽要素１４０が設けられ、その２次遮蔽要素は、ここでは、開口１１１を通り抜ける軸に垂直な面内に、周縁遮蔽要素１３１の外周を越えるまで延在する２次遮蔽板１４１として形成され、その２次遮蔽板は、そこから延出して周縁遮蔽要素１３１の少なくとも一部分を取り巻く２次遮蔽壁１４２を有する。
【００５２】
そのような構成を用いることにより、開口１１１に入射するＸ線は、周縁遮蔽要素１３１および２次遮蔽要素１４０の存在によって、装置の外部へ出ることが防止される。
【００５３】
２次遮蔽要素１４０が、開口１１１の全領域に重なりそれを覆っている場合、そのような構成は、周縁遮蔽要素および２次遮蔽要素の構造に十分な厚さのＸ線吸収材が使用されているならば、Ｘ線の透過を完全に阻止する。しかしながら、搭載要素３２０と耐振台３３０との確実な結合を可能にするために、搭載要素３２０の基底面１２２にねじ穴１２３を設けて結合ボルト１２４を受け入れることが有利になり得る。これを達成するために、結合ボルト１２４が、２次遮蔽板１４１に形成された開口１４３を貫通する。
【００５４】
そのような構成では、穴１２３の軸を下方へ伝播するＸ線は、２次遮蔽板１４１上に入射せずに、開口１４３を通過する。そのようなＸ線について心配がある場合には、Ｘ線が開口１４３を通過するのを適切に阻止するためにＸ線不透過性の材料を結合ボルト１２４として使用することができ、さもなければ、穴１２３の軸に小さな角度範囲で到達するＸ線は吸収されないことを認めた上で、そのような角度で伝播するＸ線を発生することを避けるようにＸ線源を封入筐体１００内に配置する。
【００５５】
基底面穴１２３と主遮蔽要素１１０の開口１１１とが軸を共有する場合には、この軸に対して５度、１０度、１５度、２５度、または３０度で伝播するＸ線は封入筐体から出ることができることを認めた上で、周縁遮蔽要素１３１および２次遮蔽要素１４０の寸法を適切に選択することができる。
【００５６】
図２は、封入筐体の外側に設けられた周縁遮蔽要素１３１および２次遮蔽要素１４０を示すが、同様な要素を、それら要素が封入筐体の外側に設けられている図２の構成に加えてまたはその代わりに、封入筐体の内側に設けることができる。そのような構成は、開口１１１および／または基底面穴１２３の軸に近い角度で伝播するＸ線に対して、さらに強い遮蔽を行うことができる。
【００５７】
さらに、図２の構成は機器支持面１２１に載る機器の重量を直接担持するように、垂直に配向されている搭載要素３２０を示している。しかし、それに限定されることなく、開口１１１は、封入筐体１００の床、壁、または天井を含めて、あらゆる適切な面に形成することができ、それによって機器を天井または壁から懸吊することができる。そのような構成では、機器支持面１２１には、懸吊される機器を取り付けるために、結合ボルトを受け入れる穴、またはフックもしくはブラケットなどの別の適切な固定手段を追加して設けることができる。
【００５８】
図２の構成について様々な変更を考えることができる。たとえば、Ｘ線が一方向からのみ発生されることが確実であれば、遮蔽要素は、その方向から伝播するＸ線のみを防ぐように配置することができる。そのような構成では、Ｘ線が発射されると想定されるのとは反対側でのみ搭載要素３２０を部分的に取り巻くように周縁遮蔽要素１３１を設ければ十分であり得る。たとえば、周縁遮蔽要素は、半円筒として設けることができる。さらに、開口１１１の、Ｘ線が発射されると想定される方向とは反対側のみに２次遮蔽要素１４０を設ければ十分であり得る。当然、周縁遮蔽要素１３１および２次遮蔽要素１４０が、封入筐体１００の内側に設けられる場合には、それら要素は、開口１１１の、Ｘ線が入射することになる側とは反対側ではなくて、Ｘ線が入射することになる側に設ける必要がある。
【００５９】
さらに、周縁遮蔽要素１３１は全体的に円筒形で示され、２次遮蔽要素は板部分１４１と円筒壁１４２とを有するように示されてきたが、これら構成の変形形態が可能である。たとえば、周縁遮蔽要素１３１および２次遮蔽壁１４２が、開口１１１から内方または外方へ突出する中空円錐の一部分として延在してもよく、２次遮蔽要素１４０が、たとえば、半球カップとして形成されてもよい。図２に示された構成は、空間の効率的な使用を行う視点から、今のところ、好まれている。
【００６０】
図２の構成では、主遮蔽要素１１０の、周縁遮蔽要素１３１および２次遮蔽要素１４０とは反対側に、内方へ突出する内部遮蔽要素１３２が示されており、その内部遮蔽要素は、全体的に円筒形を有し、遮蔽要素１３２の内側端部から外向きに突出する内部フランジ１３３を有する。そのような構成を設けることが必須ではないが、そのような追加の遮蔽要素を設けると、全体の遮蔽を向上することができ、周縁遮蔽要素１３１および２次遮蔽１４０を薄くすることを可能にすることができる。
【００６１】
図２は、搭載要素３２０が開口１１１を貫通するところを示すが、主遮蔽要素１１０、開口１１１、周縁遮蔽要素１３１、および２次遮蔽要素１４０の同様な構成を、電力および冷却水、ならびに制御電子信号および光ファイバを通る信号などの供給を行うための開口を含めて、封入筐体の壁を通り抜けるあらゆる開口を保護するために使用することができる。ただし、図１の構成において、そのような構成の主要利点は、その構成が、耐振台３３０および耐振台支持枠３１０のような嵩張る支持要素を遮蔽封入筐体１００の外部に配置することを可能にし、それによって、遮蔽封入筐体の大きさおよび重量を比較的よりコンパクトな形に抑えることである。
【００６２】
そのような比較的コンパクトな構成を可能にする図１の実施形態の第２の態様として、図１に示された構成は、また、供試品を封入筐体から容易に降ろすことを可能にする要素を備える。
【００６３】
従来のＸ線装置では、作業者が供試品を挿入し取り外すことを可能にする窓または他の閉鎖可能な開口を封入筐体に設けることが通例である。しかし、供試品が大きく重くなるにつれて、作業者が補助なしに供試品を挿入し取り外すことが相対的により難しくなる。場合によっては、クレーンやトロリなどの特別な操作機材を、供試品を移動するために使用しなければならず、その場合、作業者にとって、供試品を封入筐体内に移し替えることが一般的に難しくなる。大きくまたは重い供試品でも容易に封入筐体に導き入れそこから取り外すのに十分大きな窓を設けることは、遮蔽封入筐体１００の全体寸法を増加させる傾向になる。したがって、図１の実施形態は、供試品台２２０を封入筐体から引き出し、または少なくとも搭載位置もしくは搭載開口のより近くに移動させることを可能にして、供試品をより簡便に導き入れ取り降ろすことを可能にする特徴を有する。
【００６４】
そのようなより容易な搭載を可能にするシステムの特定の要素が、図３に示されている。図１を参照して、供試品台２２０は、後に説明するように、供試品を封入筐体内部で容易に回転させ移動させることを可能にする、操作機構台２００の一部分を形成する。操作機構台２００は、該操作機構台の残りの構成要素を支持し、供試品がそれに対して回転され移動される基準面を形成する基準板２１０を基底として有する。
【００６５】
図３に示され、上記で説明されたように、基準板２１０は、作動中、耐振台３３０によって支持されている搭載要素３２０上に載っている。ここでは、耐振台３３０は、供試品と共に操作機構台２００の重量を、たとえば耐振台３３０のピストン内に閉じ込められた安定した気柱上に支持する能動的耐振台である。それによって、操作機構台２００が、供試品がＸ線ビーム経路内に位置するように、照射位置に適切に配置される。
【００６６】
しかしながら、本構成では、基準板２１０には、レール３５０がさらに設けられ、そのレールは、紙面から出ていく直線内に延在する一組のローラ３４０の上に張り出し、それらローラの１つが図３の断面内に示されている。それに対応するレールが、基準板２１０の対向する側面に設けられている。この構成によって、耐振台３３０が無力化されるとき、搭載要素３２０が相対的に低くなるように空気をピストンから抜き取ることができる。搭載要素３２０が十分な距離まで下降すると、レール３５０がローラ３４０に載って直線支承機構を形成し、操作機構台２００を、ローラ上で紙面から外へ読者の方へ向かって移動させることが可能になる。これによって、操作機構台を、たとえば、封入筐体の天井のクレーンアクセスハッチの下、さもなければ封入筐体壁の窓、扉、または開口を経て封入筐体の完全に外など、搭載位置へ移動させることが可能になり、それによって供試品を容易に搭載または取り降ろすことが可能になる。
【００６７】
供試品に適切な操作が行われた後は、次いで逆の操作が可能であり、すなわち、操作機構台２００を、レール３５０およびローラ３４０によって形成された直線支承機構に沿って搭載位置から照射位置へ移動させ、次いで、耐振台３３０を作動させて操作機構台２００を持ち上げるように働かせ、それによって、レール３５０がローラ３４０から離隔されるようになり、操作機構台２００が、完全に耐振台３３０上の搭載要素３２０を介して支持される。
【００６８】
安全性を増すために、図３には示されていないが、照射位置に支持されているときの基準板２１０の不慮の移動を防止するために、搭載要素３２０を受け入れる陥凹を基準板２１０の基底に形成してもよい。
【００６９】
当然、耐振台ではなくて、むしろ単純に、搭載要素３２０を基準板２１０の基底と接触するように持ち上げてレール３５０をローラ３４０から離れるように持ち上げる液圧または機械的昇降機を有することを含めて、図３に関する様々な変更を考案することができる。さらに、耐振台は、搭載要素３２０と基準板２１０との間、搭載要素３２０と昇降機機構との間、または昇降機機構と昇降機機構用の支持枠との間に配置された弾性支持体など、パッシブダンパとして実現することができる。
【００７０】
さらに、ローラが操作機構台に設けられ、レールが封入筐体の基底に設けられる配置、または、摺動支承機構やさらには非接触型空気もしくは磁気支承機構など、他の直線支承機構に置き換えられる構成を含めて、ローラ３４０およびレール３５０の上記に開示された構成の変更形態を考案することができる。さらに、そのような構成は、限定されることなしに、耐振台さらには耐振台枠までも封入筐体内に封入される従来の封入筐体であっても使用することができる。
【００７１】
最終的に、そのような構成は、放射器または検出器など、Ｘ線装置の他の重くまたは嵩張る要素を支持するために使用することができ、それによって、それら要素を、保守整備または調整のために封入筐体のアクセス領域へ、さらには封入筐体の外側にまで容易に移動させることができる。
【００７２】
そのような比較的コンパクトな構成を可能にする図１の実施形態の第２の態様として、実施形態は、重くまたは嵩張る供試品を支持するように適合された操作機構台を有する。
【００７３】
具体的には、図４に示されるように、操作機構台２００は、供試品台２２０をその全長に亘る位置で支持する第１の支持部材２３０を有する。供試品台２２０は、供試品を支持するために十分に大きく平坦な面を形成する台座２２１を備える。台座２２１は、回転駆動機構２２２およびＸ移動搬送機構２２３によって支持されている。回転駆動機構２２２は、Ｙ方向に向いた軸周りに台座２２１を制御下で回転させることを可能にし、Ｘ移動搬送機構２２３は、台座２２１と共に回転駆動機構２２２を第１の支持部材２３０に沿ってＸ方向に移動させることを可能にする。したがって、供試品台２２０は、第１の支持部材２３０のほぼ中央位置に支持されている。
【００７４】
供試品台２２０のＸ移動搬送機構２２３を用いることによって、光線横断方向での供試品の位置を調節することができ、他方、回転駆動機構２２２を用いて供試品を回転させることによって、供試品を通過する様々な角度でのＸ線映像を得ることができることにより、ＣＴプロセスを介して体積密度マップを生成することが可能になる。
【００７５】
本実施形態では、第１の支持部材２３０は、一方の端部で垂直な第２の支持部材２４０により、他方の端部で垂直な第３の支持部材２５０によって支持される梁の形態を取る。ここでは、梁は、一方の端部が他方の端部より厚い補強部分によって補強されているところが示されているが、アーチ形を有する梁構成または一様断面を有する梁構成も使用可能である。
【００７６】
第２の支持部材２４０には、従動体２４２がその中を摺動する溝２４１が設けられ、それにより、従動体２４２が溝２４１内で摺動することによって、第１の支持部材をＹ方向に昇降させることができる。この構成は、第１の支持部材の一方の端部を、自由なＹ方向移動を可能にしながら受動的に支持する。同様に、第２の支持部材２４０の外側に沿って摺動する搬送機構を有し、その搬送機構が、第２の支持部材の外側支承面と協働する内側支承面を有することによりそのような自由移動を行わせることができる構成を含めて、第１の支持部材を確実に支持しながら昇降させることが可能な他の構成を使用してもよい。
【００７７】
対照的に、第３の支持部材２５０は、第１の支持部材２３０の他方の端部を能動的方式で支持し、基準板２１０に対してＹ方向での第１の支持部材の高さを調節する駆動機構が設けられている。そのような能動的駆動を達成するために、第３の支持部材２５０は、ボールねじ２５２と、従動体ナット２５１とを備え、その従動体ナットは、第２の支持部材では支持されていない、第１の支持部材２３０の他方の端部に連結されている。ボールねじ２５２は、最上部でラジアル軸受２５３によって支持され、最下部でアンギュラコンタクト軸受２５４によって固定され、ステッピングモータ２５７によってギアボックス２５６および駆動ベルト２５５を介して駆動される。そのような構成では、固定されたアンギュラコンタクト軸受２５４が、端部のあらゆる浮動または遊動を除去し、作動中の軸推力の大部分を受け止める。その一方、ラジアル軸受２５３は、ボールねじ２５２の上端部を浮動可能にし、それによって、駆動機構の膨張および軽微なミスアラインメントを吸収し、一方ボールねじ２５２のあらゆる曲げモーメントを低減する。
【００７８】
したがって、そのような構成によって、第１の支持部材２３０の垂直位置は、ボールねじ２５２を駆動して第１の支持部材の一方の端部を昇降させ、他方、第１の支持部材２３０の他方の端部はその移動に従うに委せることによって、好都合に調節することができる。
【００７９】
拡大率の調節を可能にするために、供試品台２２０をＺ方向に、すなわちＸ線ビームのラインに沿って移動させることができるようにするために、第３の支持部材２５０が、基準板２１０に装着されたＺレール２５９上を移動するＺ搬送機構２５８上に支持されている。図４に示されていないが、第１の支持部材２３０は、また、第２の支持部材側で、第１の従動体に形成された第２の溝の中を摺動する第２の従動体によって支持され、それによって、第１の支持部材が捻じれることなく全体としてＺ方向に自由に移動することが可能になる。このように、協働する回転駆動機構２２２と、Ｘ移動搬送機構２２３と、Ｙ調節ボールねじ２５２と、Ｚ搬送機構２５８とを用いて、供試品台２２０を、Ｘ、Ｙ、Ｚ方向のそれぞれに移動させることができ、一方Ｙ軸に平行な軸周りに回転させることもできる。
【００８０】
第１の支持部材２３０を両端部でＸ方向に関して支持することによって、嵩張るまたは重い負荷を供試品台２２０に載せても、第１の支持部材２３０に変形を生じさせず、供試品台２２０にＸ−Ｚ面に対する傾斜を生じさせない。したがって、重いまたは嵩張る供試品でも、精度を欠くことなく撮像することができる。
【００８１】
当然、第１の支持部材２３０の第３の支持部材端部の位置を支持し調節するために、ボールねじおよびナットではなくて、ベルト駆動機構を使用することや、協働するボールねじ２５２およびナット２５１などの能動的駆動手段を第１の支持部材の両端部に設ける可能性を含めて、図４に示された構成に対して様々な変更が可能である。
【００８２】
図４に示された構成では、ナット２５１が、背中合わせに装着された２つのボールねじナットとして構成され、それによって、ボールねじ２５２とナット２５１との間で発生した力が、各それぞれのナットのラジアル軸受２５１Ａおよび２５１Ｂを介して支持部材２３０へ伝達される。Ｚ搬送機構アセンブリは、第３の支持部材２５０と同様な方式でベルト構造またはボールねじによって駆動してもよく、またはラックおよびピニオン駆動機構を用いて直接駆動してもよい。たとえば、被駆動ピニオンを、Ｚレール２５９の間に横たわるラックに係合するようにＺ搬送機構２５８に装着して、Ｚ搬送機構をＺ方向に駆動することを可能にすることができる。
【００８３】
本実施形態では、第２の支持部材２４０および第３の支持部材２５０は、基準板２１０によって支持されているが、基準板２１０は、主として安定性および構造強度のために設けられている。別法として、特に、Ｚ方向の調節が必要とされない場合、第２の支持部材２４０および第３の支持部材２５０のそれぞれを、たとえば図１に示された搭載要素３２０上に、直接支持することができる。
【００８４】
当業者には、上記の開示を、上記によって開示済みまたは上記から導出可能のいずれにせよ本発明の技術的成果の一部またはすべてを保持しながら、当技術分野での自己の通常の一般的な知識に照らして、本発明の範囲内で、自分自身の状況および要件に適合するように変更および改変することが可能であると考えられる。そのような同等形態、変更形態、または改変形態のすべてが、本明細書で定義され、特許請求の範囲に記載された本発明の範囲に包含される。
【符号の説明】
【００８５】
１００  遮蔽封入筐体
１１０  主遮蔽要素
１１１  開口
１２１  機器支持面
１２２  基底面
１２３  ねじ穴
１２４  結合ボルト
１３１  周縁遮蔽要素
１３２  内部遮蔽要素
１３３  内部フランジ
１４０  ２次遮蔽要素
１４１  ２次遮蔽板
１４２  ２次遮蔽壁
１４３  開口
２００  操作機構台
２１０  基準板
２２０  供試品台
２２１  台座
２２２  回転駆動機構
２２３  Ｘ移動搬送機構
２３０  第１の支持部材
２４０  第２の支持部材
２４１  溝
２４２  従動体
２５０  第３の支持部材
２５１  従動体ナット
２５１Ａ  ラジアル軸受
２５１Ｂ  ラジアル軸受
２５２  ボールねじ
２５３  ラジアル軸受
２５４  アンギュラコンタクト軸受
２５５  駆動ベルト
２５６  ギアボックス
２５７  ステッピングモータ
２５８  Ｚ搬送機構
２５９  Ｚレール
３１０  支持枠
３２０  機器搭載要素
３３０  耐振台
３４０  ローラ
３５０  レール
【図１】
2018159712.tif 000003
【図２】
2018159712.tif 000004
【図３】
2018159712.tif 000005
【図４】
2018159712.tif 000006
【外国語明細書】
2018159712000001.pdf